(57)【要約】【課題】特にコンクリート型枠の外側に足場板を仮設する場合に活用出来る足場板支持用ブラケットを提案する。【解決手段】コンクリート型枠１０を構成している水平ばた材１０ａに上から嵌合して支持される嵌合部材１１と、水平ばた材１０ａの直下に位置する浮き上がり防止用ストッパー１２を備え、この浮き上がり防止用ストッパー１２は、出退自在で且つスプリング１８によって突出作用位置に付勢保持される可動ストッパー本体１７と、この可動ストッパー本体１７を非作用位置まで後退移動させるための操作具１９から構成され、可動ストッパー本体１２の先端は、水平ばた材１０ａが嵌合部材１１内の支持位置まで相対的に嵌入することは後退移動して許すが嵌合部材１１内の支持位置から水平ばた材１０ａが相対的に下方に外れる反対向きの相対移動は阻止する逆止爪１７ｄに形成されている。【選択図】図１
2020033768.tif 000002
【特許請求の範囲】
【請求項１】
足場板支持用水平部材、この足場板支持用水平部材の内端に上端部が連結された縦向き部材、この縦向き部材と前記足場板支持用水平部材とを連結する斜め向き連結部材、及び前記縦向き部材の上端部に、コンクリート型枠を構成している水平ばた材に上から嵌合して支持される嵌合部材を備えた足場板支持用ブラケットにおいて、前記嵌合部材に、この嵌合部材が嵌合して支持される前記水平ばた材の直下に位置する浮き上がり防止用ストッパーが併設され、この浮き上がり防止用ストッパーは、出退自在な可動ストッパー本体と、この可動ストッパー本体を突出作用位置に付勢保持するスプリングと、このスプリングの付勢力に抗して前記浮き上がり防止用ストッパーを非作用位置まで後退移動させるために前記可動ストッパー本体に併設された操作具から構成され、突出作用位置に付勢保持されている前記可動ストッパー本体の先端は、前記水平ばた材が前記嵌合部材内の支持位置まで相対的に嵌入することは後退移動して許すが前記嵌合部材内の支持位置から前記水平ばた材が相対的に下方に外れる反対向きの相対移動は阻止する逆止爪に形成されている、足場板支持用ブラケット。
【請求項２】
前記可動ストッパー本体は、前記縦向き部材の左右両側に位置する左右両側板部と、前記縦向き部材の後ろ側で前記左右両側板部を連結一体化する後側板部を備えたもので、前記逆止爪は、前記左右両側板部の先端に形成され、この可動ストッパー本体が、前記左右両側板部に設けられた長孔と、当該両長孔内を貫通する係止具によって、前記突出作用位置と非作用位置との間で移動自在に前記縦向き部材に支持され、前記操作具は、前記可動ストッパー本体の後側板部の内側を上下方向に貫通する縦向き板部と、この縦向き板部の上下両端から後ろ側に延出する上下両側板部と、これら上下両側板部の後端から互いに離れる上下方向に連設された上下一対の操作用突出板部から構成され、この操作具の前記縦向き板部と前記可動ストッパー本体の後側板部とを貫通する軸体の内端を前記縦向き部材に取り付け、この軸体の外端側のバネ受け座と前記可動ストッパー本体の後側板部との間にコイル状の前記スプリングが嵌合されている、請求項１に記載の足場板支持用ブラケット。
【請求項３】
前記縦向き部材は、前記斜め向き連結部材の連結部より下方に延長する下側延長部分を備え、この縦向き部材の下側延長部分に、この下側延長部分の下端部に設けられた抜け止めストッパーと前記斜め向き連結部材の連結部との間で昇降可能に嵌合する可動部材が設けられ、この可動部材の内端に、前記コンクリート型枠の型枠板の外側面に当接して前記縦向き部材を前記型枠板と平行な姿勢に保持する当接板が設けられている、請求項１又は２に記載の足場板支持用ブラケット。
【発明の詳細な説明】
【技術分野】
【０００１】
本発明は、仮設足場の足場板を支持する足場板支持用ブラケットに関するものである。
【背景技術】
【０００２】
この種の足場板支持用ブラケットとして、特許文献１にも記載されるように、足場板支持用水平部材、この足場板支持用水平部材の内端に上端部が連結された縦向き部材、この縦向き部材と前記足場板支持用水平部材とを連結する斜め向き連結部材、及び前記縦向き部材の上端部に、コンクリート型枠を構成している水平ばた材に上から嵌合して支持される嵌合部材を備えた足場板支持用ブラケットが知られている。従来のこの種の足場板支持用ブラケットでは、コンクリート型枠側の水平ばた材に上から嵌合部材を引っ掛けて支持させた足場板支持用ブラケットが、このブラケットに上向きに不測に作用した外力によって前記コンクリート型枠側の水平ばた材から外れてしまう可能性がある。従来、このような問題点を解消するために、特許文献を示すことはできないが、コンクリート型枠側の水平ばた材に前記のように支持させた足場板支持用ブラケットの前記縦向き部材又は嵌合部材に、コンクリート型枠側の前記水平ばた材の下側に突出するストッパーをボルトナットなどで取り付けるような工夫が考えられていた。
【先行技術文献】
【特許文献】
【０００３】
【特許文献１】特開２００６−３１６５８１号公報
【発明の概要】
【発明が解決しようとする課題】
【０００４】
上記のようにボルトナットなどでストッパーを取り付ける方法では、当該ストッパーの取り付けに多大の手間と工具が必要であり、現場では、そのストッパーの取り付けを省略してしまう場合があった。
【課題を解決するための手段】
【０００５】
本発明は、上記のような従来の問題点を解消することのできる足場板支持用ブラケットを提案するものであって、本発明に係る足場板支持用ブラケットは、後述する実施例との関係を理解し易くするために、当該実施例の説明において使用した参照符号を括弧付きで付して示すと、足場板支持用水平部材(1)、この足場板支持用水平部材(1)の内端に上端部が連結された縦向き部材(7)、この縦向き部材(7)と前記足場板支持用水平部材(1)とを連結する斜め向き連結部材(9)、及び前記縦向き部材(7)の上端部に、コンクリート型枠(10)を構成している水平ばた材(10a)に上から嵌合して支持される嵌合部材(11)を備えた足場板支持用ブラケットにおいて、前記嵌合部材(11)が嵌合して支持される前記水平ばた材(10a)の直下に位置する浮き上がり防止用ストッパー(12)が設けられ、この浮き上がり防止用ストッパー(12)は、出退自在な可動ストッパー本体(17)と、この可動ストッパー本体(17)を突出作用位置に付勢保持するスプリング(18)と、このスプリング(18)の付勢力に抗して前記浮き上がり防止用ストッパー(12)を非作用位置まで後退移動させるために前記可動ストッパー本体(12)に併設された操作具(19)から構成され、突出作用位置に付勢保持されている前記可動ストッパー本体(12)の先端は、前記水平ばた材(10a)が前記嵌合部材(11)内の支持位置まで相対的に嵌入することは後退移動して許すが前記嵌合部材(11)内の支持位置から前記水平ばた材(10a)が相対的に下方に外れる反対向きの相対移動は阻止する逆止爪(17d)に形成された構成になっている。
【発明の効果】
【０００６】
上記本発明の構成によれば、コンクリート型枠の外側に水平に配置されている水平ばた材の内、足場板支持用に選択した高さに位置する水平ばた材に前記嵌合部材を上から嵌合させるとき、浮き上がり防止用ストッパーが先端の逆止爪によりスプリングの付勢力に抗して一時的に非作用位置の方へ後退移動し、前記浮き上がり防止用ストッパーが前記水平ばた材の下側へ移動するのに伴って当該浮き上がり防止用ストッパーがスプリングの付勢力で元の突出作用位置に復帰することになる。足場板支持用ブラケットの嵌合部材がコンクリート型枠側の水平ばた材に嵌合支持されたときには、前記浮き上がり防止用ストッパーが前記嵌合部材を支持する水平ばた材の直下で突出作用姿勢に復帰している。この結果、水平ばた材に前記嵌合部材を介して支持された足場板支持用ブラケットに上向きの外力が作用しても、前記浮き上がり防止用ストッパーが直上にある前記水平ばた材に係合して、足場板支持用ブラケットの前記嵌合部材が前記水平ばた材から上方に外れてしまう可能性は皆無となる。
【０００７】
以上のように、本発明の足場板支持用ブラケットは、コンクリート型枠側の水平ばた材に嵌合部材を上から嵌合させるだけの、従来同様の操作を行うだけで、コンクリート型枠の外側に支持させることが出来、しかも水平ばた材に嵌合部材を上から嵌合させた状態では、特別な操作が全く不要でありながら、支持させた足場板支持用ブラケットを上に持ち上げることが出来ないロック状態になるので、足場板支持用ブラケットに上向きの外力が働いた不測の事態において、当該足場板支持用ブラケットが持ち上げられて水平ばた材から外れ落ちる恐れは全く無く、安全な状態に維持される。又、足場板支持用ブラケットを取り外すときは、前記操作具により前記可動ストッパー本体をスプリングの付勢力に抗して非作用位置に移動させた状態で足場板支持用ブラケットを持ち上げ、コンクリート型枠側の水平ばた材から取り外すことが出来る。
【０００８】
上記本発明を実施する場合、具体的には、前記可動ストッパー本体(17)は、前記縦向き部材(7)の左右両側に位置する左右両側板部(17a,17b)と、前記縦向き部材(7)の後ろ側で前記左右両側板部(17a,17b)を連結一体化する後側板部(17c)を備えたもので、前記逆止爪(17d)は、前記左右両側板部(17a,17b)の先端に形成し、この可動ストッパー本体(17)は、前記左右両側板部(17a,17b)に設けられた長孔(20)と、当該長孔(20)内を貫通する係止具(21)によって、前記突出作用位置と非作用位置との間で移動自在に前記縦向き部材(7)に支持し、前記操作具(19)は、前記可動ストッパー本体(17)の後側板部(17c)の内側を上下方向に貫通する縦向き板部(19a)と、この縦向き板部(19a)の上下両端から後ろ側に延出する上下両側板部(19b,19c)と、これら上下両側板部(19b,19c)の後端から互いに離れる上下方向に連設された上下一対の操作用突出板部(19d,19e)から構成し、この操作具(19)の前記縦向き板部(19a)と前記可動ストッパー本体(17)の後側板部(17c)とを貫通する軸体(22)の内端を前記縦向き部材(7)に取り付け、この軸体(22)の外端側のバネ受け座(22b)と前記可動ストッパー本体(17)の後側板部(17c)との間にコイル状の前記スプリング(18)を嵌合させることが出来る。
【０００９】
この構成によれば、前記浮き上がり防止用ストッパーを、帯板をコの字形に曲げて構成した可動ストッパー本体と、帯板を凸型に曲げて構成した操作具、及び前記軸体とバネ受け座となるボルトによって簡単に構成することが出来るにも拘わらず、操作具が、前記軸体を中心に外側に突出する上下一対の操作用突出板部を有する構造となるので、前記浮き上がり防止用ストッパーを非作用位置に切り換えるとき、上下一対の操作用突出板部に２本の指先を引っ掛けて手前に引けば良いので、操作が楽に容易く行える。
【００１０】
又、前記縦向き部材(7)は、前記斜め向き連結部材(9)の連結部より下方に延長する下側延長部分(7a)を備えたものとし、この縦向き部材(7)の下側延長部分(7a)に、この下側延長部分(7a)の下端部に設けられた抜け止めストッパー(13)の上側で昇降可能に嵌合する可動部材を設け、この可動部材の内端に、前記コンクリート型枠の型枠板の外側面に当接して前記縦向き部材を前記型枠板と平行な姿勢に保持する当接板を設けることが出来る。
【００１１】
この構成によれば、足場板支持用ブラケットの前記縦向き部材を、当該足場板支持用ブラケットを嵌合支持させた水平ばた材の下側に存在する別の水平ばた材の位置に関係なく、常にコンクリート型枠の型枠板と平行な姿勢に保持することが出来る。即ち、前記抜け止めストッパーで受け止められる下降限位置にある可動部材の当接板が当接する位置に下側水平ばた材が存在するときは、その下側水平ばた材の上方に前記可動部材を持ち上げて逃がし、足場板支持用ブラケットの前記縦向き部材を前記下側水平ばた材に当接させて、足場板支持用ブラケットの前記縦向き部材をコンクリート型枠の型枠板と平行な姿勢に保持させることが出来、前記縦向き部材の下側延長部分に対応する高さに下側水平ばた材が存在しないときは、前記抜け止めストッパーで受け止められる下降限位置にある可動部材の当接板をコンクリート型枠の型枠板に当接させて、同じように足場板支持用ブラケットの前記縦向き部材をコンクリート型枠の型枠板と平行な姿勢に保持させることが出来る。
【図面の簡単な説明】
【００１２】
【図１】図１Ａは、足場板支持用ブラケットの使用状態を示す一部縦断側面図、図１Ｂは、他の使用方法を示す要部の一部縦断側面図である。
【図２】図２は、足場板支持用ブラケットの一部切欠き側面図である。
【図３】図３は、足場板支持用ブラケットの一部切欠き拡大平面図である。
【図４】図４は、図２のＡ−Ａ線拡大断面図である。
【図５】図５は、図２のＢ−Ｂ線拡大断面図である。
【図６】図６は、足場板支持用ブラケットの浮き上がり防止用ストッパーにおける要部の分解斜視図である。
【発明を実施するための形態】
【００１３】
以下、本発明の一実施例を添付図に基づいて説明すると、図１〜図３において、１は足場板支持用水平部材であって、筒状体から成る筒状基部２と、この筒状基部２の先端側から出し入れ自在に挿入された可動部材３とから、一定範囲内で長さを調整可能に構成されたものであり、可動部材３の先端には、手摺り支柱などを取り付けるためのパイプクランプ４が上向きに突出する足場板位置決め板５を介して取り付けられている。６は、筒状基部２に対して出し入れした可動部材３を固定するための可動部材固定用ボルトである。筒状基部２の内端は、角パイプ材利用の縦向き部材７の上端に水平向きに貫通するボルトナット８により取り付けられ、この縦向き部材７の中間高さと前記筒状基部２の先端とに、この両者を連結する斜め向き連結部材９の両端が固着されて、筒状基部２と縦向き部材７とが互いに直角向きに連結一体化されている。
【００１４】
縦向き部材７の上端内側には、コンクリート型枠１０の外側に配置されている上下一対の円筒状鋼管利用の水平ばた材１０ａ，１０ｂの内の上側水平ばた材１０ａに上から嵌合する嵌合部材１１が取り付けられ、この嵌合部材１１の取付け位置の直下で縦向き部材７に浮き上がり防止用ストッパー１２が設けられ、更に、縦向き部材７と斜め向き連結部材９との連結箇所より下方に延伸する縦向き部材７の下側延長部分７ａには、この下側延長部分７ａの下端部に取り付けられたボルトナットから成る抜け止めストッパー１３の上側で昇降可能に嵌合する可動部材１４が設けられ、この可動部材１４の内端に、コンクリート型枠１０を構成している型枠板１０ｃに当接して、縦向き部材７を型枠板１０ｂと平行な姿勢に保持する当接板１５が取り付けられている。
【００１５】
前記嵌合部材１１は、板材をＵ字形に曲げ加工して構成されたもので、その上端部の左右両側板部１１ａ，１１ｂの遊端部が、縦向き部材７の上端部の左右両側を挟む状態で、上下２本のボルトナット１６によって縦向き部材７の上端部に固着され、前記左右両側板部１１ａ，１１ｂの先端円弧部が下方に延伸された脚柱部１１ｃと縦向き部材７との間に、下側開放の嵌合凹入部１１ｄが形成されたものであり、当該嵌合凹入部１１ｄの上端となる左右両側板部１１ａ，１１ｂの下側縁１１ｅは、凹曲形状に形成されている。
【００１６】
前記浮き上がり防止用ストッパー１２は、図４及び図６に示すように、出退自在な可動ストッパー本体１７、この可動ストッパー本体１７を突出作用位置に付勢保持する圧縮コイルスプリング１８、及び操作具１９から構成されている。操作具１９は、前記圧縮コイルスプリング１８の付勢力に抗して可動ストッパー本体１７を非作用位置まで後退移動させるために当該可動ストッパー本体１７に併設されたものである。
【００１７】
更に詳述すると、前記可動ストッパー本体１７は、縦向き部材７の左右両側に位置する左右両側板部１７ａ，１７ｂと、縦向き部材７の後ろ側で前記左右両側板部１７ａ，１７ｂを連結一体化する後側板部１７ｃを備えた平面視コの字形のもので、左右両側板部１７ａ，１７ｂの先端は、上端側ほど嵌合部材１１の嵌合凹入部１１ｄ内に向かって突出する突出量が漸増するように傾斜した逆止爪１７ｄとなっている。この可動ストッパー本体１７は、前記左右両側板部１７ａ，１７ｂに設けられた長孔２０と、当該両長孔２０と縦向き部材７を貫通するボルトナットから成る２本の係止具２１によって、図２に示すように前記逆止爪１７ｄの全体が側面視で縦向き部材７から突出する突出作用位置と、前記逆止爪１７ｄの全体が側面視で縦向き部材７と重なる非作用位置との間で移動自在に支持されている。前記操作具１９は、可動ストッパー本体１７の後側板部１７ｃの内側を上下方向に貫通する縦向き板部１９ａと、この縦向き板部１９ａの上下両端から後ろ側に延出する上下両側板部１９ｂ，１９ｃと、これら上下両側板部１９ｂ，１９ｃの後端から互いに離れる上下方向に連設された上下一対の操作用突出板部１９ｄ，１９ｅから構成され、この操作具１９の縦向き板部１９ａと可動ストッパー本体１７の後側板部１７ｃとを貫通させたボルト利用の軸体２２が、前記縦向き部材７の外側面に溶接により固着された固定ナット２３に当該軸体２２の先端螺軸部２２ａを捩じ込むことにより、縦向き部材７に取り付けられ、この軸体２２の外端側のバネ受け座となる頭部２２ｂと可動ストッパー本体１７の後側板部１７ｃとの間に前記圧縮コイルスプリング１８が圧縮状態で嵌合されている。
【００１８】
尚、軸体２２は、その大径軸部２２ｃが可動ストッパー本体１７の後側板部１７ｃに設けられた貫通孔１７ｄと操作具１９の縦向き板部１９ａに設けられた貫通孔１９ｆとを貫通し、前記大径軸部２２ｃよりも小径の先端螺軸部２２ａを、この先端螺軸部２２ａと大径軸部２２ｃとの間の段部が固定ナット２３に当接する限界まで固定ナット２３の雌ネジ孔に捩じ込んだとき、固定ナット２３から突出する先端螺軸部２２ａが入り込む貫通孔２４が縦向き部材７に設けられている。勿論、固定ナット２３に代えて、縦向き部材７の後側壁に貫通雌ネジ孔を形成し、この貫通雌ネジ孔に軸体２２の先端螺軸部２２ａを捩じ込むように構成しても良いし、縦向き部材７の後側壁に軸体２２の内端を直接溶接して固着し、この軸体２２の外端螺軸部に、前記頭部２２ｂに代わるバネ受け座を捩じ込んで固定するように構成しても良い。
【００１９】
前記可動部材１４は、図２及び図５に示すように、帯状板材を縦向き部材７に沿ってコの字形に曲げ加工して、縦向き部材７の後側面に隣接する後側板部１４ａと、縦向き部材７の左右両側面に隣接し且つ縦向き部材７から内側に互いに平行に延出する左右両側板部１４ｂ，１４ｃを形成し、この左右両側板部１４ｂ，１４ｃの縦向き部材７から内側に離れた領域の上下両側辺から、それぞれ互いに接近する内側に上下両側板部１４ｄ，１４ｅを折曲形成したものであり、後側板部１４ａと左右両側板部１４ｂ，１４ｃ、及び上下両側板部１４ｄ，１４ｅの側縁を縦向き部材７の周面に隣接させることにより、可動部材１４を縦向き部材７に、その長さ方向に昇降移動のみ可能に構成している。前記当接板１５は、可動部材１４の内端輪郭より一回り大きな平板１５ａによって構成されており、当該平板５ａの左右両側辺に設けた上下一対の切込みの間の板部を、前記可動部材１４の左右両側板部１４ｂ，１４ｃの外側面に隣接するように折曲して、左右一対の取付け板部１５ｂ，１５ｃを形成し、この左右一対の取付け板部１５ｂ，１５ｃとその間の可動部材１４の左右両側板部１４ａ，１４ｂとを貫通する１本のボルトナット１５ｄにより、前記当接板１５（平板１５ａ）を可動部材１４の内端に結合している。
【００２０】
図１Ａに示すように、既設のコンクリート型枠１０の外側には、上下一対の水平ばた材１０ａ，１０ｂが上下方向適当間隔おきに配置されている。この上下一対の水平ばた材１０ａ，１０ｂは、型枠板１０ｃを位置決めするためのセパレーター１０ｄに内端部が連結された棒状本体１０ｅの上下両側に振り分け配置された状態で、この上下一対の水平ばた材１０ａ、１０ｂを外側から押圧固定する当て部材１０ｆを棒状本体１０ｅに取り付けることにより、コンクリート型枠１０に一体化される。このようなコンクリート型枠１０に対して足場板支持用ブラケットを使用する場合、当該コンクリート型枠１０の外側に配設されている水平ばた材１０ａ，１０ｂの内、足場板２５を仮設したい高さの許容範囲内にある上側水平ばた材１０ａを選択し、この上側水平ばた材１０ａに嵌合部材１１を上から嵌合させる。この嵌合操作により、上側水平ばた材１０ａが嵌合部材１１の嵌合凹入部１１ｄ内を相対的に上昇移動することになるので、その過程において、浮き上がり防止用ストッパー１２の突出作用位置にある可動ストッパー本体１７の先端の逆止爪１７ｄに対して上側水平ばた材１０ａが上向きに押圧し、可動ストッパー本体１７には後退方向の作用力が作用して、可動ストッパー本体１７が圧縮コイルスプリング１８の付勢力に抗して突出作用位置から後退移動し、上側水平ばた材１０ａの相対上昇移動を許容する。最終的には、当該上側水平ばた材１０ａの上に、嵌合部材１１における嵌合凹入部１１ｄの上端の凹曲した下側縁１１ｅが載置され、足場板支持用ブラケットの全体が前記上側水平ばた材１０ａに支持されることになる。
【００２１】
浮き上がり防止用ストッパー１２の可動ストッパー本体１７は、上記のように上側水平ばた材１０ａの通過に伴って突出作用位置から一旦後退した後、圧縮コイルスプリング１８の付勢力によって前進移動し、再び突出作用位置に復帰する結果、当該可動ストッパー本体１７の左右一対の逆止爪１７ｄが、嵌合凹入部１１ｄの上端を受け止めている上側水平ばた材１０ａとその直下の下側水平ばた材１０ｂとの間に突出し、この上側水平ばた材１０ａに対して足場板支持用ブラケットが上昇移動するのを、一体に上昇移動する可動ストッパー本体１７の左右両側板部１７ａ，１７ｂの上側辺先端近傍部が上側水平ばた材１０ａに上向きに当接して阻止することが出来る。尚、可動ストッパー本体１７が圧縮コイルスプリング１８の付勢力に抗して突出作用位置から後退移動するとき、当該可動ストッパー本体１７と操作具１９とは互いに固着されているわけではないので、固定ナット２３と可動ストッパー本体１７の後側板部１７ｃとの間で縦向き板部１９ａが挟まれていた操作具１９は、一時的に軸体２２の長さ方向に関してフリーな状態になるが、上下一対の操作用突出板部１９ｄ，１９ｅは、軸体２２と圧縮コイルスプリング１８の上下両側に位置する初期姿勢を維持している。
【００２２】
上記のように特定の上側水平ばた材１０ａに嵌合部材１１を介して足場板支持用ブラケットが支持されたときに、図１Ａに示すように、縦向き部材７の下端の抜け止めストッパー１３で受け止められている可動部材１４の内側に、他の水平ばた材１０ａ，１０ｂが存在しないときは、そのまま可動部材１４の内端の当接板１５をコンクリート型枠１０の型枠板１０ｃに当接させて、縦向き部材７を、型枠板１０ｃとほぼ平行な垂直姿勢に保持させることが出来る。しかし、嵌合部材１１が嵌合する上下一対の水平ばた材１０ａ，１０ｂより下側に存在する別の上下一対の水平ばた材１０ａ，１０ｂに可動部材１４の内端の当接板１５が当接するような状況であれば、可動部材１４を縦向き部材７に対して適当高さまで持ち上げた状態で上側水平ばた材１０ａに嵌合部材１１を嵌合させ、この後、図１Ｂに示すように、持ち上げていた可動部材１４を下げて、嵌合部材１１より下側にある別の上側水平ばた材１０ａの上に載せれば良い。この状態では、縦向き部材７が嵌合部材１１より下側にある別の水平ばた材１０ａ，１０ｂの外側に当接すると同時に、可動部材１４の内端の当接板１５がコンクリート型枠１０の型枠板１０ｃに当接することになるが、コンクリート型枠１０の寸法精度によっては、縦向き部材７が嵌合部材１１より下側にある別の水平ばた材１０ａ，１０ｂの外側に当接するか又は、可動部材１４の内端の当接板１５がコンクリート型枠１０の型枠板１０ｃに当接することになる。
【００２３】
上記の要領で同一高さで２つの足場板支持用ブラケットを支持したならば、両足場板支持用ブラケットの足場板支持用水平部材１の上に足場板２５を載置支持させることが出来る。このとき、足場板２５の外側辺に足場板位置決め板５が隣接するように、筒状基部２に対して可動部材３を出し入れして、足場板支持用水平部材１の長さを調整することが出来る。足場解体時に足場板支持用ブラケットを取り外すときは、浮き上がり防止用ストッパー１２における操作具１９の上下一対の操作用突出板部１９ｄ，１９ｅを２本の指先で手前に引いて、当該操作具１９の縦向き板部１９ａと可動ストッパー本体１７の後側板部１７ｃを介して可動ストッパー本体１７を圧縮コイルスプリング１８の付勢力に抗して後退移動させ、可動ストッパー本体１７の先端の逆止爪１７ｄが嵌合部材１１の嵌合凹入部１１ｄから退出する非作用位置に切り換えた状態で足場板支持用ブラケットを持ち上げて、嵌合部材１１を上側水平ばた材１０ａから上方に取り外せば良い。尚、この操作に際して、例えば親指を軸体２２の頭部（バネ受け座）２２ｂの外側面に当て付けた状態で、人差し指と中指で上下一対の操作用突出板部１９ｄ，１９ｅを手前に引くように操作することが出来る。
【００２４】
本発明の足場板支持用ブラケットは、コンクリート型枠１０の外側に角鋼管利用の水平ばた材が配置されている場合にも使用することが出来る。この場合、角鋼管利用の水平ばた材が上下に隣接するように並列使用されているときは、上下に隣接する一対の角鋼管利用の水平ばた材間に浮き上がり防止用ストッパー１２の逆止爪１７ｄが入り込める空間が確保されていなければならないが、角鋼管利用の水平ばた材が単体で上下方向に適当間隔を隔てて配置されるような構成であれば、角鋼管利用の水平ばた材の下側に浮き上がり防止用ストッパー１２の逆止爪１７ｄが入り込むように、本発明の足場板支持用ブラケットを使用すれば良い。
【産業上の利用可能性】
【００２５】
本発明の足場板支持用ブラケットは、特にコンクリート型枠の外側に足場板を仮設する場合に活用出来るものである。
【符号の説明】
【００２６】
１    足場板支持用水平部材
２    筒状基部
３    可動部材
４    パイプクランプ
５    足場板位置決め板
６    可動部材固定用ボルト
７    縦向き部材
８，１５ｄ，１６    ボルトナット
９    斜め向き連結部材
１０    コンクリート型枠
１０ａ，１０ｂ    水平ばた材
１０ｃ    型枠板
１１    嵌合部材
１１ｄ    嵌合凹入部
１２    浮き上がり防止用ストッパー
１３    抜け止めストッパー
１４    可動部材
１５    当接板
１７    可動ストッパー本体
１７ａ，１７ｂ    左右両側板部
１７ｃ    後側板部
１７ｄ    逆止爪
１８    圧縮コイルスプリング
１９    操作具
１９ａ    縦向き板部
１９ｂ，１９ｃ    上下両側板部
１９ｄ，１９ｅ    操作用突出板部
２０    長孔
２１    係止具（ボルトナット）
２２    軸体（ボルト）
２２ａ    先端螺軸部
２２ｂ    頭部（バネ受け座）
２２ｃ    大径軸部
２３    固定ナット
２５    足場板
【図１】
2020033768.tif 000003
【図２】
2020033768.tif 000004
【図３】
2020033768.tif 000005
【図４】
2020033768.tif 000006
【図５】
2020033768.tif 000007
【図６】
2020033768.tif 000008